(57)【要約】【課題】基板上にニッケル合金からなる第一膜と、銅又はその合金からなる第二膜とを順に重ねてなる積層膜をエッチングする際に、第一膜と第二膜との両方に対してエッチング能力があり、かつ、第一膜と第二膜に対するエッチングレートの差異が少ないエッチング液と、前記積層膜を一つのエッチング液で効率良くエッチングすることが可能なエッチング方法を提供する。【解決手段】第１のエッチング液は、塩酸と、硝酸とを含む水溶液とする。この水溶液は、燐酸をさらに含むと好ましい。また、第２のエッチング液は、塩酸と、塩鉄（ＩＩＩ）とを含む水溶液とする。この水溶液も、燐酸をさらに含むと好ましい。これら第１のエッチング液又は第２のエッチング液を用いて、基板１１上にニッケル合金からなる第一膜１２と、銅又はその合金からなる第二膜１３とを順に重ねてなる積層金属膜１４をエッチングする。【選択図】図１
2010138451.tif 000002
【特許請求の範囲】
【請求項１】
基板上にニッケル合金からなる第一膜と、銅又はその合金からなる第二膜とを順に重ねてなる積層膜をウェットエッチングするために用いるエッチング液であって、
塩酸と、硝酸とを含む水溶液からなることを特徴とするエッチング液。
【請求項２】
前記水溶液は、塩酸溶液を７０〜９０質量％とし、残部を硝酸溶液としてなる液組成であることを特徴とする請求項１に記載のエッチング液。
【請求項３】
前記水溶液は、燐酸をさらに含むことを特徴とする請求項１に記載のエッチング液。
【請求項４】
前記水溶液は、塩酸溶液を４５〜６８質量％、硝酸溶液を２０〜３０質量％、及び、残部を燐酸溶液としてなる液組成であることを特徴とする請求項３に記載のエッチング液。
【請求項５】
基板上にニッケル合金からなる第一膜と、銅又はその合金からなる第二膜とを順に重ねてなる積層膜をウェットエッチングするために用いるエッチング液であって、
塩酸と、塩鉄とを含む水溶液からなることを特徴とするエッチング液。
【請求項６】
前記水溶液は、塩酸溶液を９０〜９５質量％とし、残部を塩鉄溶液としてなる液組成であることを特徴とする請求項５に記載のエッチング液。
【請求項７】
前記水溶液は、燐酸をさらに含むことを特徴とする請求項５に記載のエッチング液。
【請求項８】
前記水溶液は、塩酸溶液を１７〜５０質量％、塩鉄溶液を２０〜２８質量％、及び、残部を燐酸溶液としてなる液組成であることを特徴とする請求項７に記載のエッチング液。
【請求項９】
基板上にニッケル合金からなる第一膜と、銅又はその合金からなる第二膜とを順に重ねてなる積層膜をウェットエッチングする方法であって、
請求項１乃至８のいずれか１項に記載のエッチング液を用い、
前記第一膜として、ニッケルを５０原子％以上含み、残部が、バナジウム、アルミニウム、モリブデン、チタン、ジルコニウム、クロム、ケイ素、タングステン、タンタル、インジウム、錫、亜鉛、マンガン、銅、コバルト、鉄より選択された少なくとも１以上の元素からなるニッケル合金を用いることを特徴とするエッチング方法。
【請求項１０】
前記第一膜として、ニッケルとバナジウムから構成され、該バナジウムの含有量を７〜５０原子％としたニッケル合金を用いることを特徴とする請求項９に記載のエッチング方法。
【発明の詳細な説明】
【技術分野】
【０００１】
本発明は、電子部品向けの金属薄膜をエッチングするためのエッチング液、及びエッチング方法に係り、詳しくは、基板上にニッケル合金からなる第一膜と、銅又はその合金からなる第二膜とを順に重ねてなる積層膜をウェットエッチングするためのエッチング液と、このエッチング液を用いたエッチング方法に関する。
【背景技術】
【０００２】
従来、電子部品の金属配線膜にはアルミニウム（Ａｌ）等の低抵抗材料が使用されてきたが、ＴＦＴ液晶ディスプレイの大型化が進むにつれ、より低抵抗の材料である銅（Ｃｕ）の使用が有望視されている。ところが銅を金属配線として用いる場合、ガラスやシリコン（Ｓｉ）等の基板との密着性が不十分となる問題や、基板をシリコンとしたときに生じる基板への銅の拡散という問題がある。そのため、たとえば、図２に示すように、まず基板１１上に下地となるニッケル（Ｎｉ）合金等の第一膜１２を作製し、その上に銅や銅合金等の第二膜１３を積層させることで積層金属膜１４を作製する手法が用いられている。このような手法で作製された積層金属膜１４上に所定のマスク（不図示）を設けて、エッチング処理することにより、所望のパターニングされた配線等が得られる。
【０００３】
しかしながら、一般的に、銅をエッチングするために用いるエッチング液では、銅が他の金属と積層された場合、他の金属を殆どエッチングせず、銅のみをエッチングする。ゆえに、基板１１上に設けた積層金属膜１４に対してエッチング処理を施す際、上層部（第二膜１３）を構成する銅向けのエッチング液と、下層部（第一膜１２）を構成するニッケル向けのエッチング液とが必要となる。ところが、上層部（第二膜１３）をエッチングするエッチング液と、下層部（第一膜１２）をエッチングするエッチング液とが異なると、処理プロセスの増加や生産コストの増加といった問題がある。また、銅（第二膜１３）とニッケル（第一膜１２）の両方を同時にエッチングできるエッチング液であっても、個々のエッチングレート（エッチング速度）が異なると、たとえば上層部に比べて下層部が多くエッチングされてしまう現象（アンダーカット）等が起こり、積層膜の割れや剥離の原因となる。
したがって、これらの問題を解決するために、銅とニッケルの両方を同時にエッチング可能で、かつ、エッチングレートの差異が少ないエッチング液の開発が期待されていた。
【特許文献１】特開２０００−１０４１８３号公報
【特許文献２】特開２００５−１５４８９９号公報
【発明の開示】
【発明が解決しようとする課題】
【０００４】
本発明は、上記事情に鑑みて成されたものであり、基板上にニッケル合金からなる第一膜と、銅又はその合金からなる第二膜とを順に重ねてなる積層膜をエッチングする際に、第一膜と第二膜との両方に対してエッチング能力があり、かつ、第一膜と第二膜に対するエッチングレートの差異が少ないエッチング液を提供することを目的とする。
また、本発明は、基板上にニッケル合金からなる第一膜と、銅又はその合金からなる第二膜とを順に重ねてなる積層膜を一つのエッチング液で効率良くウェットエッチングすることが可能なエッチング方法を提供することを目的とする。
【課題を解決するための手段】
【０００５】
本発明の請求項１に係るエッチング液は、基板上にニッケル合金からなる第一膜と、銅又はその合金からなる第二膜とを順に重ねてなる積層膜をウェットエッチングするために用いるエッチング液であって、塩酸と、硝酸とを含む水溶液からなることを特徴とする。
【０００６】
本発明の請求項２に係るエッチング液は、請求項１に記載のエッチング液において、前記水溶液が、塩酸溶液を７０〜９０質量％とし、残部を硝酸溶液としてなる液組成であることを特徴とする。
【０００７】
本発明の請求項３に係るエッチング液は、請求項１に記載のエッチング液において、前記水溶液が、燐酸をさらに含むことを特徴とする。
【０００８】
本発明の請求項４に係るエッチング液は、請求項３に記載のエッチング液において、前記水溶液が、塩酸溶液を４５〜６８質量％、硝酸溶液を２０〜３０質量％、及び、残部を燐酸溶液としてなる液組成であることを特徴とする。
【０００９】
本発明の請求項５に係るエッチング液は、基板上にニッケル合金からなる第一膜と、銅又はその合金からなる第二膜とを順に重ねてなる積層膜をウェットエッチングするために用いるエッチング液であって、塩酸と、塩鉄とを含む水溶液からなることを特徴とする。
【００１０】
本発明の請求項６に係るエッチング液は、請求項５に記載のエッチング液において、前記水溶液が、塩酸溶液を９０〜９５質量％とし、残部を塩鉄溶液としてなる液組成であることを特徴とする。
【００１１】
本発明の請求項７に係るエッチング液は、請求項５に記載のエッチング液において、前記水溶液が、燐酸をさらに含むことを特徴とする。
【００１２】
本発明の請求項８に係るエッチング液は、請求項７に記載のエッチング液において、前記水溶液が、塩酸溶液を１７〜５０質量％、塩鉄溶液を２０〜２８質量％、及び、残部を燐酸溶液としてなる液組成であることを特徴とする。
【００１３】
本発明の請求項９に係るエッチング方法は、基板上にニッケル合金からなる第一膜と、銅又はその合金からなる第二膜とを順に重ねてなる積層膜をウェットエッチングする方法であって、請求項１乃至８のいずれか１項に記載のエッチング液を用い、前記第一膜として、ニッケルを５０原子％以上含み、残部が、バナジウム、アルミニウム、モリブデン、チタン、ジルコニウム、クロム、ケイ素、タングステン、タンタル、インジウム、錫、亜鉛、マンガン、銅、コバルト、鉄より選択された少なくとも１以上の元素からなるニッケル合金を用いることを特徴とする。
【００１４】
本発明の請求項１０に係るエッチング方法は、請求項９に記載のエッチング方法において、前記第一膜として、ニッケルとバナジウムから構成され、該バナジウムの含有量を７〜５０原子％としたニッケル合金を用いることを特徴とする。
【発明の効果】
【００１５】
本発明の請求項１に係るエッチング液は、塩酸と、硝酸とを含む水溶液からなる。この水溶液としたエッチング液は、基板上に積層されたニッケル合金からなる第一膜と、銅又はその合金からなる第二膜の両方に対して、同レベルのエッチング能力を有する。ゆえに、本発明に係るエッチング液を用いることにより、一つのエッチング液で異なる材質からなる積層膜を一括してエッチングすることができる。また、この水溶液としたエッチング液は、第一膜と第二膜の両方に対して、同レベルのエッチング能力を有するので、第一膜が第二膜より過度にエッチングされることにより生じるアンダーカット等の不具合な現象の発生を著しく抑制することができる。ゆえに、本発明に係るエッチング液は、積層膜の割れや剥離のない信頼性の高い金属配線を作製することに寄与する。
【００１６】
また、本発明の請求項３に係るエッチング液は、燐酸をさらに含むことにより、第一膜と第二膜の両方に対して、同レベルのエッチング能力を維持しつつ、エッチング速度を２桁（数十〜数百（Å/sec）変更できる。ゆえに、エッチング対象物の厚さや形状に応じて、好適なエッチング速度の選択が可能となり、ひいてはプロセス条件の自由度が広がる。ゆえに、本発明によれば、汎用性に優れたエッチング液の提供が可能となる。
【００１７】
本発明の請求項５に係るエッチング液は、塩酸と、塩鉄とを含む水溶液からなる。この水溶液としたエッチング液は、基板上に積層されたニッケル合金からなる第一膜と、銅又はその合金からなる第二膜の両方に対して、同レベルのエッチング能力を有する。ゆえに、本発明に係るエッチング液を用いることにより、一つのエッチング液で異なる材質からなる積層膜を一括してエッチングすることができる。また、この水溶液としたエッチング液は、第一膜と第二膜の両方に対して、同レベルのエッチング能力を有するので、第一膜が第二膜より過度にエッチングされることにより生じるアンダーカット等の不具合な現象の発生を著しく抑制することができる。ゆえに、本発明に係るエッチング液は、積層膜の割れや剥離のない信頼性の高い金属配線を作製することに寄与する。
【００１８】
また、本発明の請求項７に係るエッチング液は、燐酸をさらに含むことにより、第一膜と第二膜の両方に対して、同レベルのエッチング能力を維持しつつ、エッチング速度を２桁（数十〜数百（Å/sec）変更できる。ゆえに、エッチング対象物の厚さや形状に応じて、好適なエッチング速度の選択が可能となり、ひいてはプロセス条件の自由度が広がる。ゆえに、本発明によれば、汎用性に優れたエッチング液の提供が可能となる。
【００１９】
本発明の請求項９に係るエッチング方法は、上述した本発明のエッチング液を用い、基板上に、ニッケルを５０原子％以上含み、残部が、バナジウム、アルミニウム、モリブデン、チタン、ジルコニウム、クロム、ケイ素、タングステン、タンタル、インジウム、錫、亜鉛、マンガン、銅、コバルト、鉄より選択された少なくとも１以上の元素からなるニッケル合金からなる第一膜と、銅又はその合金からなる第二膜とを順に重ねてなる積層膜をウェットエッチングする。ゆえに、本発明に係るエッチング液を用いることにより、特定の元素を含むニッケル合金からなる第一膜と、銅又はその合金からなる第二膜とを順に重ねてなる積層膜をエッチングする際に、第一膜と第二膜との両方をエッチングすることが出来る。
【発明を実施するための最良の形態】
【００２０】
以下、本発明を実施したエッチング液の一例について説明する。
まず、本実施の形態においてウェットエッチングする積層膜は、図２に示すように、基板１１上に第一膜１２と、第二膜１３とを順に重ねたものであり、パターニングして電子部品向けの金属配線を作製するための金属薄膜（以下、「積層金属膜」という。）１４である。
基板１１は、積層金属膜１４が作製されるのに必要とされる強度などの性質を備えたものであれば特に制限はなく、たとえば、ガラスやシリコン等からなるものを用いることができる
【００２１】
第一膜１２は、基板１１上に作製された下地となる膜であり、ニッケル（Ｎｉ）に所望の元素が含まれたニッケル合金よりなる。この第一膜１２を構成するニッケル合金としては、たとえば、ニッケルを５０原子％以上含み、残部が、バナジウム（Ｖ）、アルミニウム（Ａｌ）、モリブデン（Ｍｏ）、チタン（Ｔｉ）、ジルコニウム（Ｚｒ）、クロム（Ｃｒ）、ケイ素（Ｓｉ）、タングステン（Ｗ）、タンタル（Ｔａ）、インジウム（Ｉｎ）、錫（Ｓｎ）、亜鉛（Ｚｎ）、マンガン（Ｍｎ）、銅（Ｃｕ）、コバルト（Ｃｏ）、鉄（Ｆｅ）より選択された少なくとも１以上の元素からなるニッケル合金とすることができる。具体的には、第一膜１２は、ニッケルとバナジウムから構成され、このバナジウムの含有量を７〜５０原子％としたニッケル合金とすることができる。
【００２２】
第二膜１３は、第一膜１２を被覆するように積層された上層の膜であり、銅（Ｃｕ）又はその合金からなる。
【００２３】
したがって、本発明では、基板１１上に、ニッケル合金からなる第一膜１２と、銅又はその合金からなる第二膜１３とを順に重ねてなる積層金属膜１４が作製された試料１０をウェットエッチングするエッチング液と、このエッチング液を用いたエッチング方法について説明する。
【００２４】
なお、積層金属膜１４を構成する第一膜１２や第二膜１３の膜厚は特に制限はなく、使用目的に応じて適宜決定すれば良い。たとえば、第一膜１２は３００Å〜１０００Å程度の厚さとすることができる。また、第二膜１３は１０００Å〜５０００Å程度の厚さとすることができる。ここで、１０Åは１ｎｍである。
また、本発明において、塩酸は「ＨＣｌ」を、硝酸は「ＨＮＯ３」を、塩鉄は「ＦｅＣｌ３」を、燐酸は「Ｈ３ＰＯ４」を、それぞれ意味する。
【００２５】
＜第一の実施の形態＞
上述したような構成の試料１０において積層金属膜１４をウェットエッチングする第一のエッチング液１Ａは、塩酸（ＨＣｌ）と硝酸（ＨＮＯ３）とを含む水溶液からなる。この水溶液としたエッチング液は、第一膜１２であるニッケル合金と、第二膜１３である銅との両方に対して、同レベルのエッチング能力あり、このエッチング液を用いることにより、一つのエッチング液で第一膜１２と第二膜１３の両方を一括してエッチングすることができる。また、第一のエッチング液１Ａは、塩酸溶液を７０〜９０質量％とし、残部を硝酸溶液としてなる液組成であることが好ましい。このような液組成とすることにより、第一膜１２であるニッケル合金と、第二膜１３である銅の両方に対して、同レベルのエッチング能力を有するものとなり、第一膜１２であるニッケル合金が第二膜１３である銅より過度にエッチングされることにより生じるアンダーカット等の不具合な現象の発生を著しく抑制することができる。これにより、積層金属膜１４の割れや剥離のない信頼性の高い金属配線を作製することができる。
【００２６】
また、本発明に係る第一のエッチング液１Ａは、さらに燐酸（Ｈ３ＰＯ４）を含むことが好ましい。このときの水溶液は、第一膜１２であるニッケル合金と、第二膜１３である銅の両方に対して、同レベルのエッチング能力を維持しつつ、エッチング速度を調整することができる。また、燐酸を含む第一のエッチング液１Ａは、塩酸溶液を４５〜６８質量％、硝酸溶液を２０〜３０質量％、及び、残部を燐酸溶液としてなる液組成であることが好ましい。このような液組成とすることにより、第一膜１２であるニッケル合金と、第二膜１３である銅のエッチング速度を２桁（数十〜数百（Å/sec）変更できる。これにより、エッチング対象物の厚さや形状に応じて、好適なエッチング速度の選択が可能となり、ひいてはプロセス条件の自由度が広がり、適宜所望のパターン作製を行なうことが可能となる。
【００２７】
＜第二の実施の形態＞
また、上述したような構成の試料１０において積層金属膜１４をウェットエッチングする第二のエッチング液１Ｂは、塩酸（ＨＣｌ）と塩化鉄（ＦｅＣｌ３）とを含む水溶液からなる。この水溶液としたエッチング液は、第一膜１２であるニッケル合金と、第二膜１３である銅との両方に対して、同レベルのエッチング能力あり、このエッチング液を用いることにより、一つのエッチング液で第一膜１２と第二膜１３の両方を一括してエッチングすることができる。また、第二のエッチング液１Ｂは、塩酸溶液を９０〜９５質量％とし、残部を塩鉄溶液としてなる液組成であることが好ましい。このような液組成とすることにより、第一膜１２であるニッケル合金と、第二膜１３である銅の両方に対して、同レベルのエッチング能力を有するものとなり、第一膜１２であるニッケル合金が第二膜１３である銅より過度にエッチングされることにより生じるアンダーカット等の不具合な現象の発生を著しく抑制することができる。これにより、積層金属膜１４の割れや剥離のない信頼性の高い金属配線を作製することができる。
【００２８】
また、本発明に係る第二のエッチング液１Ｂは、さらに燐酸（Ｈ３ＰＯ４）を含むことが好ましい。このときの水溶液は、第一膜１２であるニッケル合金と、第二膜１３である銅の両方に対して、同レベルのエッチング能力を維持しつつ、エッチング速度を調整することができる。また、燐酸を含む第二のエッチング液１Ｂは、塩酸溶液を１７〜５０質量％、塩鉄溶液を２０〜２８質量％、及び、残部を燐酸溶液としてなる液組成であることが好ましい。このような液組成とすることにより、第一膜１２であるニッケル合金と、第二膜１３である銅のエッチング速度を２桁（数十〜数百（Å/sec）変更できる。これにより、エッチング対象物の厚さや形状に応じて、好適なエッチング速度の選択が可能となり、ひいてはプロセス条件の自由度が広がり、適宜所望のパターン作製を行なうことが可能となる。
【００２９】
以上のようなエッチング液を利用してエッチングを行うことにより、基板上に、ニッケル合金からなる第一膜と、銅又はその合金からなる第二膜とを順に重ねてなる積層金属膜のウェットエッチングにおいて、第一膜と第二膜との両方を一つの液でエッチングすることが可能である。また、第一膜と第二膜とのエッチングレートの差異が少ないものとすることができるので、積層膜の割れや剥離のない金属配線を作製するパターニングを行うことができる。また、これにより微細パターンを精度良く形成でき、寸法安定性にも優れたエッチング処理物を得ることができる。したがって、信頼性の高い金属配線のパターニングが可能となる。
【００３０】
次に、上述した第一のエッチング液１Ａ又は第二のエッチング液１Ｂを用いて、積層金属膜１４をウェットエッチングする方法について、図面に基づき説明する。
まず、基板１１上に、ニッケル合金からなる第一膜１２と、銅又はその合金からなる第二膜１３とを順に重ねることにより積層金属膜１４が作製された試料１０を準備する。
次いで、図１（ａ）に示すように、パターニングを形成するために、試料１０において金属配線として残す部分の第二膜１３上にレジスト層１５を形成してマスクをし、試料２０とする。
【００３１】
次に、エッチング液１（１Ａ，１Ｂ）を調整し、エッチング液１の液温を任意の温度に暖める（調整する）。エッチング液１の液温は特に限定されるものではないが、たとえばウォームバスにて２５〜５０℃の温度にエッチング液を温めると良い。これにより、目的とするエッチング速度やエッチング性能が得られる。
【００３２】
そして、図１（ｂ）に示すように、積層金属膜１４上にレジスト層１５を形成した試料２０を、エッチング液１（１Ａ，１Ｂ）に浸す。これにより、レジスト層１５が無い部分の積層金属膜１４はエッチング液１（１Ａ，１Ｂ）に溶解し、除去される。
なお、試料２０をエッチング液１（１Ａ，１Ｂ）に浸す代わりに、図３に示すように、試料２０に対して、レジスト層１５を形成した側よりエッチング液１（１Ａ，１Ｂ）を噴霧するようにしても良い。
その後、試料２０は、レジスト層１５がある部分の積層金属膜１４が溶解せずに残り、レジスト層１５を除去することで、図１（ｃ）に示すように、金属配線２が作製されることになる。
【実施例】
【００３３】
次に、多数の実験例を挙げて本発明をより具体的に説明するが、本発明はその要旨を超えない限り、以下の実験例に限定されるものではない。
＜第一の実験＞
まず、本発明に係るエッチング液を用いることにより、第一膜を構成するニッケル合金と、第二膜を構成する銅との両方に対してエッチング能力があることを確認するための実験を以下のとおり行った。
【００３４】
初めに、２０ｍｍ×２０ｍｍの大きさをしたガラス基板の一面に、スパッタ装置を用いてニッケル合金からなる第一膜を１０００Å厚みで全面に成膜し、実験用の試料（以下、「ニッケル合金膜試料」という。）を準備した。この第一膜は、ニッケルとバナジウムから構成され、バナジウムの含有量を７原子％とし、残部をニッケルとしたニッケル合金からなる。
また、２０ｍｍ×２０ｍｍの大きさをした別のガラス基板の一面に、スパッタ装置を用いて銅からなる第二膜を３０００Å厚みで全面に成膜し、実験用の別の試料（以下、「銅膜試料」という。）を準備した。
【００３５】
次に、使用薬液を任意の組成で混合し、実験用のエッチング液を準備した。エッチング液として用いる使用薬液は、３５〜３７％塩酸溶液、６０％硝酸溶液、８５％燐酸溶液、および、３４〜３６％塩鉄（ＩＩＩ）溶液である。
【００３６】
実験例として用いた各エッチング液の液組成は、以下の表１に示す通りである。
実験例１が、塩酸溶液を９９質量％、硝酸溶液を１質量％としてなる液組成、実験例２が、塩酸溶液を９８質量％、硝酸溶液を２質量％としてなる液組成、実験例３が、塩酸溶液を９５質量％、硝酸溶液を５質量％としてなる液組成、実験例４が、塩酸溶液を９０質量％、硝酸溶液を１０質量％としてなる液組成、実験例５が、塩酸溶液を８０質量％、硝酸溶液を２０質量％としてなる液組成、実験例６が、塩酸溶液を７５質量％、硝酸溶液を２５質量％としてなる液組成、実験例７が、塩酸溶液を７０質量％、硝酸溶液を３０質量％としてなる液組成、実験例８が、塩酸溶液を６０質量％、硝酸溶液を４０質量％としてなる液組成である。すなわち、実験例１乃至８は、上述した第一のエッチング液の効果を確認するものである。
【００３７】
また、実験例９が、塩酸溶液を６８質量％、硝酸溶液を２８質量％、燐酸溶液を４質量％としてなる液組成、実験例１０が、塩酸溶液を６０質量％、硝酸溶液を３０質量％、燐酸溶液を１０質量％としてなる液組成、実験例１１が、塩酸溶液を５５質量％、硝酸溶液を２８質量％、燐酸溶液を１７質量％としてなる液組成、実験例１２が、塩酸溶液を５０質量％、硝酸溶液を２５質量％、燐酸溶液を２５質量％としてなる液組成、実験例１３が、塩酸溶液を４５質量％、硝酸溶液を２０質量％、燐酸溶液を３５質量％としてなる液組成である。すなわち、これら実験例９乃至１３は、上述した第一のエッチング液に燐酸を含む構成とした際の効果を確認するものである。
【００３８】
また、実験例１４が、塩酸溶液を９５質量％、塩鉄溶液を５質量％としてなる液組成、実験例１５が、塩酸溶液を９０質量％、塩鉄溶液を１０質量％としてなる液組成、実験例１６が、塩酸溶液を８４質量％、塩鉄溶液を１６質量％としてなる液組成、実験例１７が、塩酸溶液を７７質量％、塩鉄溶液を２３質量％としてなる液組成、実験例１８が、塩酸溶液を７２質量％、塩鉄溶液を２８質量％としてなる液組成、実験例１９が、塩酸溶液を６７質量％、塩鉄溶液を３３質量％としてなる液組成である。すなわち、実験例１４乃至１９は、上述した第二のエッチング液の効果を確認するものである。
【００３９】
さらに、実験例２０が、塩酸溶液を５０質量％、塩鉄溶液を２５質量％、燐酸溶液を２５質量％としてなる液組成、実験例２１が、塩酸溶液を２０質量％、塩鉄溶液を２０質量％、燐酸溶液を６０質量％としてなる液組成、実験例２２が、塩酸溶液を１７質量％、塩鉄溶液を２８質量％、燐酸溶液を５５質量％としてなる液組成である。すなわち、実験例２０乃至２２は、上述した第二のエッチング液に燐酸を含む構成とした際の効果を確認するものである。
【００４０】
次いで、実験例１乃至２２に示す液組成のエッチング液を各々、ウォームバスにて２５℃の液温に設定し、各エッチング液の中に、予め準備した実験用のニッケル合金膜試料［（Ｓｉ基板／Ｎｉ合金膜（１０００Å）］及び銅膜試料［（Ｓｉ基板／Ｃｕ膜（３０００Å）］をそれぞれ浸漬させた。そして、目視にて膜が無くなるまでの時間をそれぞれ計測し、１秒当たりにエッチングされる膜厚を求め、エッチング速度としてその結果を表１に示した。また、求めたそれぞれのエッチング速度から、第一膜（ニッケル合金膜）と第二膜（銅膜）との速度差を求め、併せて表１に示した。
【００４１】
さらに、第一膜を構成するニッケル合金と、第二膜を構成する銅との両方にエッチング能力があることを確認するエッチング特性評価として、上記で求めた速度差が５０Å／ｓｅｃ以内のときを○印、同速度差が１００Å／ｓｅｃ以内のときを△印、同速度差が１００Å／ｓｅｃを超えるときを×印として表し、併せて表１に示した。
【００４２】
なお、上述した各実験例と比較するため、各溶液を単独で用いた場合、すなわち、比較例１（塩酸溶液１００質量％としてなる液組成）、比較例２（硝酸溶液１００質量％としてなる液組成）、比較例３（塩鉄溶液１００質量％としてなる液組成）を検証した。また、比較のために、上記４つの溶液（塩酸溶液、硝酸溶液、燐酸溶液、塩鉄溶液）を含有しない、市販されているＣｕ膜用のエッチング液（従来品と呼ぶ）についても検証した。この従来品としては、硫酸、硝酸、酢酸、水を液組成とする、関東化学社製の混酸Ｃｕ−０１）を用いた。
そして、これらのエッチング液を用いて、上記同様に測定した第一膜（Ｎｉ合金膜）と第二膜（Ｃｕ膜）のそれぞれのエッチング速度、その速度差、及びエッチング特性評価の結果を、併せて表１に示した。速度差の欄において、括弧内に数字を記載した場合は、第二膜より第一膜の方がエッチング速度が大きいことを示す。
【００４３】
【表１】
2010138451.tif 000003
【００４４】
表１から、以下の点が明らかになった。
（Ａ１）第一のエッチング液（エッチング液が塩酸と硝酸とを含む水溶液）を用いてウェットエッチングを行った実験例１乃至８においては、塩酸溶液が７０〜９５質量％、硝酸溶液が５〜３０質量％からなる実験例３乃至７における液組成とした場合は、第一膜を構成するニッケル合金と、第二膜を構成する銅との両方に対して、同レベルのエッチング能力があることが分かった。また、実験例３乃至７における液組成において、第一膜と第二膜に対するエッチングレートの差異も、比較例より少なくなることが分かった。しかも、実験例３乃至７における液組成では、第一膜であるニッケル合金のエッチング速度と、第二膜である銅のエッチング速度との速度差が１００Å以下となり好ましく、特に、塩酸溶液が７５〜９０質量％、硝酸溶液が１０〜２５質量％からなる実験例４乃至６における液組成では、同速度差が５０Å以下となり、より好ましいことが分かった。
【００４５】
（Ａ２）第一のエッチング液に燐酸をさらに含む水溶液を用いてウェットエッチングを行った実験例９乃至１３においては、燐酸をさらに含むことで、エッチング速度を高めに調整できることが分かった。しかも、塩酸溶液が４５〜６８質量％、硝酸溶液が２０〜３０質量％、及び燐酸溶液が４〜３５質量％からなる実験例９乃至１３における液組成とした場合は、第一膜であるニッケル合金のエッチング速度と、第二膜である銅のエッチング速度との速度差が１００Å以下となり好ましく、特に、塩酸溶液が５０〜６８質量％、硝酸溶液が２５〜３０質量％、及び燐酸溶液が４〜２５質量％からなる実験例９乃至１２における液組成では、同速度差が５０Å以下となり、より好ましいことが分かった。
【００４６】
（Ａ３）第二のエッチング液（エッチング液が塩酸と塩鉄（ＩＩＩ）とを含む水溶液）を用いてウェットエッチングを行った実験例１４乃至１９においては、塩酸溶液が９０〜９５質量％、塩鉄溶液が５〜１０質量％からなる実験例１４及び１５における液組成とした場合は、第一膜を構成するニッケル合金と、第二膜を構成する銅との両方に対して、同レベルのエッチング能力があることが分かった。また、実験例１４及び１５における液組成において、第一膜と第二膜に対するエッチングレートの差異も、比較例より少なくなることが分かった。しかも、実験例１４及び１５における液組成では、第一膜であるニッケル合金のエッチング速度と、第二膜である銅のエッチング速度との速度差が１００Å以下となり、好ましいことが分かった。
【００４７】
（Ａ４）第二のエッチング液に燐酸をさらに含む水溶液を用いてウェットエッチングを行った実験例２０乃至２２においては、燐酸をさらに含むことで、エッチング速度を低めに調整できることが分かった。しかも、塩酸溶液が１７〜５０質量％、塩鉄溶液が２０〜２８質量％、及び燐酸溶液が２０〜６０質量％からなる実験例２１、２２における液組成とした場合は、エッチング速度が数十Å／ｓｅｃであり、かつ、第一膜であるニッケル合金のエッチング速度と、第二膜である銅のエッチング速度との速度差が数Å程度となることから、より好ましいことが分かった。
【００４８】
＜第二の実験＞
次に、本発明に係るエッチング液を用いることで、ニッケル（Ｎｉ）とバナジウム（Ｖ）から構成されたニッケル合金よりなる第一膜を下地として作製し、その上に銅よりなる第二膜を積層する積層金属膜をエッチングする際に、第一膜と第二膜との両方を一つのエッチング液で効率良くエッチングすることができることを確認するための実験を以下のとおり行った。
【００４９】
初めに、２０ｍｍ×２０ｍｍの大きさをしたガラス基板の一面に、スパッタ装置を用いてニッケルからなる第一膜を下地となる膜として１０００Å厚みで全面に成膜した。この第一膜は、ニッケルとバナジウムから構成され、バナジウムの含有量をそれぞれ７原子％、１０原子％、３０原子％、５０原子％とし、何れも残部をニッケルとしたニッケル合金からなる。なお、これらのニッケル合金特性が、何れも非磁性であることは予め確認した。
引き続き、これら第一膜を覆うように、スパッタ装置を用いて銅からなる第二膜を３０００Å厚みで全面にそれぞれ成膜し、実験用の試料を準備した。
【００５０】
そして、同じエッチング液の中にこれら実験用の試料をそれぞれ浸漬し、第一の実験のときと同様に、目視にて膜が無くなるまでの時間を計測してエッチング速度を求め、さらに、速度差を求め、求めた速度差が５０Å／ｓｅｃ以内のときを○印、同速度差が１００Å／ｓｅｃ以内のときを△印、同速度差が１００Å／ｓｅｃを超えるときを×印として表し、表２に示した。なお、本実験に用いたエッチング液は、表１の実験例２１に示す液組成のものである。
【００５１】
【表２】
2010138451.tif 000004
【００５２】
表２から、以下の点が明らかになった。
（Ｂ１）バナジウムの含有量を７〜５０原子％としたニッケル合金を用いた第一膜とすることで何れも、基板上にニッケル合金からなる第一膜と、銅からなる第二膜とを順に重ねてなる積層金属膜を一つのエッチング液で効率良くエッチングできることが分かった。
（Ｂ２）第一膜であるニッケル合金のエッチング速度と、第二膜である銅のエッチング速度との速度差が５０Å以下であり、第一膜と第二膜に対するエッチングレートの差異が少なく、より好ましいことが確認された。
また、バナジウムの含有量を７〜５０原子％としたニッケル合金は何れも、合金特性が非磁性であることから、積層金属膜を構成する第一膜をマグネトロンスパッタで成膜することもできる利点を備えている。
【００５３】
なお、バナジウムを７〜５０原子％含むニッケル合金は、合金特性が非磁性であるので、積層金属膜を構成する第一膜をマグネトロンスパッタで成膜することもできる。
【００５４】
＜第三の実験＞
次に、本発明に係るエッチング液を用いることで、ニッケルと、バナジウム以外の添加元素から構成されたニッケル合金よりなる第一膜を下地として作製し、その上に銅よりなる第二膜を積層する積層金属膜をエッチングする際に、第一膜と第二膜との両方を一つのエッチング液で効率良くエッチングすることができることを確認するための実験を以下のとおり行った。
【００５５】
初めに、２０ｍｍ×２０ｍｍの大きさをしたガラス基板の一面に、スパッタ装置を用いてニッケルからなる第一膜を下地となる膜として１０００Å（１００ｎｍ）厚みで全面に成膜した。
【００５６】
第一膜としては、以下の表３に示すとおり、添加元素をバナジウム（Ｖ：含有量７原子％）としたニッケル合金（実験例３０）の他に、Ｖに代えて１種類の添加元素を含むニッケル合金の例（実験例４０−５１）について検討した。すなわち、添加元素をアルミニウム（Ａｌ）とし、含有量が１０原子％としたニッケル合金、添加元素をモリブデン（Ｍｏ）とし、含有量が７原子％としたニッケル合金、添加元素をチタン（Ｔｉ）とし、含有量が１０原子％としたニッケル合金、添加元素をジルコニウム（Ｚｒ）とし、含有量が１０原子％としたニッケル合金、添加元素をクロム（Ｃｒ）とし、含有量が９原子％としたニッケル合金、添加元素をケイ素（Ｓｉ）とし、含有量が１０原子％としたニッケル合金、添加元素をタングステン（Ｗ）とし、含有量が７原子％としたニッケル合金、添加元素をタンタル（Ｔａ）とし、含有量が９原子％としたニッケル合金、添加元素をインジウム（Ｉｎ）とし、含有量が１０原子％としたニッケル合金、添加元素を錫（Ｓｎ）とし、含有量が８原子％としたニッケル合金、添加元素を亜鉛（Ｚｎ）とし、含有量が１９原子％としたニッケル合金、添加元素をマンガン（Ｍｎ）とし、含有量が２５原子％としたニッケル合金からなる。
【００５７】
この他に、第一膜として、２種類の添加元素を含有させた例（実験例５２−５４）についても検討した。すなわち、添加元素をバナジウム（Ｖ）及び銅（Ｃｕ）とし、含有量がバナジウム７原子％、銅２０原子％としたニッケル合金、添加元素をバナジウム及びコバルトとし、含有量がバナジウム７原子％、コバルト１０原子％としたニッケル合金、添加元素をバナジウム及び鉄とし、含有量がバナジウム７原子％、鉄１０原子％としたニッケル合金からなる。
【００５８】
なお、上述したニッケル合金組成は何れも、非磁性であることを予め確認した。引き続き、これら第一膜を覆うように、スパッタ装置を用いて銅からなる第二膜を３０００Å（３００ｎｍ）厚みで全面にそれぞれ成膜し、実験用の試料を準備した。
【００５９】
そして、同じエッチング液の中にこれら実験用の試料をそれぞれ浸漬し、第一の実験のときと同様に、目視にて膜が無くなるまでの時間を計測してエッチング速度を求め、さらに、速度差を求め、求めた速度差が５０Å／ｓｅｃ以内のときを○印、同速度差が１００Å／ｓｅｃ以内のときを△印、同速度差が１００Å／ｓｅｃを超えるときを×印として表し、表３に示した。なお、本実験に用いたエッチング液は、表１の実験例２１に示す液組成のものである。
【００６０】
【表３】
2010138451.tif 000005
【００６１】
表３から、以下の点が明らかになった。
（Ｃ１）バナジウム、アルミニウム、モリブデン、チタン、ジルコニウム、クロム、ケイ素、タングステン、タンタル、インジウム、錫、亜鉛、マンガン、銅、コバルト、鉄より選択された少なくとも１以上の元素からなるニッケル合金を用いた第一膜とすることで、基板上にニッケル合金からなる第一膜と、銅からなる第二膜とを順に重ねてなる積層金属膜を一つのエッチング液で効率良くエッチングできることが分かった。
（Ｃ２）第一膜であるニッケル合金のエッチング速度と、第二膜である銅のエッチング速度との速度差が５０Å以下であり、第一膜と第二膜に対するエッチングレートの差異が少なくより好ましいことが分かる。
【００６２】
また、バナジウム、アルミニウム、モリブデン、チタン、ジルコニウム、クロム、ケイ素、タングステン、タンタル、インジウム、錫、亜鉛、マンガン、銅、コバルト、鉄より選択された少なくとも１以上の元素を所定量含むニッケル合金は、合金特性が非磁性であることから、積層金属膜を構成する第一膜をマグネトロンスパッタで成膜することもできる利点を備えている。
【産業上の利用可能性】
【００６３】
本発明に係るエッチング液は、薄膜トランジスタのゲート電極、ソース・ドレイン電極、その他電子部品の製造時のウェットエッチング処理に好適に利用できる。
【図面の簡単な説明】
【００６４】
【図１】本発明に係るエッチング液を用い、積層膜をウェットエッチングする方法を順に示す断面図。
【図２】本発明に係るエッチング液が処理対象とする積層膜の構造を示す断面図。
【図３】図１とは異なる方法を示す断面図。
【符号の説明】
【００６５】
１（１Ａ，１Ｂ）  エッチング液、２  金属配線、１０  試料、１１  基板、１２  第一膜（下地膜）、１３  第二膜（上層膜）、１４  積層金属膜、１５  レジスト膜、２０  試料。
【図１】
2010138451.tif 000006
【図２】
2010138451.tif 000007
【図３】
2010138451.tif 000008